(57)【要約】歯科環境で用いられる情報制御システムが、選択可能ないくつかの歯科用器具とそれらの器具の動作を制御する制御部材とを有する歯科ユニットと、患者台と、歯科医および歯科助手の作業位置とを有する。選択可能な歯科処置をリストした処置プロトコルを格納するためと、処置ごとに、その処置で実施される連続するステップを格納するために、コンピュータが備えられる。前記プロトコルにリストされた処置およびアクションを選択すべくコンピュータ手段にコマンドを入力するために、処置とアクションとが表示され、プロトコル制御手段が備えられる。
2006513777.tif 000002
【特許請求の範囲】
【請求項１】
歯科環境において用いられる情報制御システムであって、
前記環境が、
個別選択が可能ないくつかの歯科用器具と選択された歯科用器具の動作を制御する少
なくとも１つの器具制御部材とを含む歯科用ユニットと、
患者台と、
前記歯科用ユニットと前記患者台とに対して機能する関係にある、歯科医と歯科助手
との作業位置と
を含み、
前記情報制御システムが、
一連の選択可能な歯科処置をリストした少なくとも１つの処置プロトコルと、
リストされた処置ごとに、前記処置の準備および実施において実行される一連の連続
したステップまたはアクションと
を格納するコンピュータ手段によって特徴づけられ、
前記コンピュータ手段が、前記処置およびアクションを前記歯科医および／または前記歯科助手に対して表示するプロトコル表示手段に作用的に接続されるか接続可能であり、
前記プロトコルにリストされている処置、ステップおよび／またはアクションを選択すべく前記コンピュータ手段にコマンドを入力するために前記歯科医および／または前記歯科助手によって操作可能であるようにプロトコル制御手段が設けられている
情報制御システム。
【請求項２】
前記コンピュータ手段から転送された、前記歯科用ユニットの歯科用器具の使用に関連する情報を表示するために、前記歯科用ユニットにある器具保持手段の場所に情報表示手段が配置されていることを特徴とする、請求項１に記載の情報制御システム。
【請求項３】
前記歯科用ユニットが、選択された器具の動作パラメータを制御するマイクロプロセッサ手段を含み、
前記処置プロトコルが、前記歯科用ユニットの少なくとも１つの歯科用器具の使用を伴う、少なくとも１つのステップまたはアクションを含む、少なくとも１つの処置を含み、
前記器具の少なくとも１つの動作パラメータの値が前記コンピュータ手段に格納されており、
前記歯科用器具が選択されたときに、ただちに、前記パラメータ値を前記マイクロプロセッサ手段に伝達し、前記動作パラメータを前記格納された値に調整するために、前記コンピュータ手段が前記歯科用ユニットの前記マイクロプロセッサ手段に作用的に接続されているか接続可能である
ことを特徴とする、請求項１または２に記載の情報制御システム。
【請求項４】
動作パラメータの値が、前記コンピュータ手段を用いてプログラム可能であることを特徴とする、請求項３に記載の情報制御システム。
【請求項５】
前記パラメータ値が前記マイクロプロセッサ手段に伝達されたときに前記パラメータ値を表示するために、前記歯科用ユニットにある器具保持手段の場所にパラメータ表示手段が配置されていることを特徴とする、請求項３または４に記載の情報制御システム。
【請求項６】
前記情報表示手段と前記パラメータ表示手段とが同一ディスプレイで構成されていることを特徴とする、請求項５に記載の情報制御システム。
【請求項７】
前記プロトコル制御手段が、キーボードと、ポイントアンドクリック装置と、音声認識装置と、前記器具制御部材と関連して配置されている独立したプロトコル制御部材とを任意に含むことを特徴とする、前記請求項のいずれかに記載の情報制御システム。
【請求項８】
前記器具制御部材と前記独立したプロトコル制御部材とが単一の足踏み式制御装置に統合されていることを特徴とする、請求項７に記載の情報制御システム。
【請求項９】
前記足踏み式制御装置の個々の制御部材の機能が前記コンピュータ手段を用いてプログラム可能であることを特徴とする、請求項８に記載の情報制御システム。
【請求項１０】
前記プロトコル表示手段が、前記患者台に乗っている患者の視野内に配置されている患者用ディスプレイを含むことを特徴とする、前記請求項１から９のいずれかに記載の情報制御システム。
【請求項１１】
現在実施中の処置、ステップまたはアクションに関連する実時間データを前記患者用ディスプレイに表示するように備えられることを特徴とする、請求項１０に記載の情報制御システム。
【請求項１２】
前記患者台における患者の存在を検知する、クッションスイッチなどの手段が前記患者台に備えられることを特徴とする、前記請求項１から１１のいずれかに記載の情報制御システム。
【請求項１３】
前記コンピュータ手段が、情報、特に、任意の選択された処置および／または前記処置の過程で実施される任意の前記連続したアクションに関するロギング情報、を格納するロギング手段を含むことを特徴とする、前記請求項１から１２のいずれかに記載の情報制御システム。
【請求項１４】
前記ロギング手段が、前記患者台における患者の存在と、前記歯科医および可能な前記歯科助手の名前と、好ましくは前記患者の名前とをロギングするように構成されていることを特徴とする、請求項１３に記載の情報制御システム。
【請求項１５】
前記ロギング手段が、個々の処置を識別するバージョン番号や、行われた、処置からの可能な逸脱などのデータを含む、実施された処置をロギングするように構成されていることを特徴とする、請求項１３または１４に記載の情報制御システム。
【請求項１６】
前記ロギング手段が、実施された処置に関連する時間データ、つまり、処置、ステップまたはアクションの開始時刻と、処置、ステップまたはアクションの継続時間または完了時刻などの時間データ、をロギングするように構成されていることを特徴とする、請求項１３から１５のいずれかに記載の情報制御システム。
【請求項１７】
前記ロギング手段が、用いられる前記歯科用器具に関連する時間データ、つまり、各器具の使用を開始した時刻、各器具の使用の継続時間、および各器具の使用時間の累計などの時間データ、をロギングするように構成されていることを特徴とする、請求項１６に記載の情報制御システム。
【請求項１８】
前記ロギング手段が、前記存在検知手段によって記録される、前記患者が前記患者台に乗った時刻と前記患者台から下りた時刻とをロギングするように構成されていることを特徴とする、請求項１３から１７のいずれかに記載の情報制御システム。
【請求項１９】
前記ロギング手段が、水質、気温および／または湿度などの環境データをロギングするように構成されていることを特徴とする、請求項１３から１８のいずれかに記載の情報制御システム。
【請求項２０】
前記ロギング手段が、好ましくは、処置中に、前記コンピュータ手段に接続されたバーコードリーダに入力されたアイテムのバーコードからのバーコードデータをロギングするように構成されていることを特徴とする、請求項１３から１９のいずれかに記載の情報制御システム。
【請求項２１】
ロギングされたデータの削除を防止する手段が備えられることを特徴とする、請求項１３から２０のいずれかに記載の情報制御システム。
【請求項２２】
前記コンピュータ手段が、いくつかの歯科用ユニットに関連付けられたコンピュータ手段と接続されたサーバコンピュータを含むマルチユーザネットワークの一部を形成し、それによって、前記処置プロトコルが、前記コンピュータ手段のすべてとそれらに関連付けられた歯科用ユニットとによって共用されるために前記サーバコンピュータに格納されることを特徴とする、前記請求項１から２１のいずれかに記載の情報制御システム。
【請求項２３】
前記サーバコンピュータが、前記共用プロトコルに加えて、ユーザによって定義された処置プロトコルも格納するように構成されていることを特徴とする、請求項２２に記載の情報制御システム。
【請求項２４】
歯科用ユニットに関連付けられた前記コンピュータ手段および／または前記サーバコンピュータが、歯科診療所の患者の患者記録簿を格納するように構成されていて、前記記録簿が、その中の各患者に対して実施された処置およびアクションの記録を収容していることを特徴とする、前記請求項１から２３のいずれかに記載の情報制御システム。
【請求項２５】
特定の患者の記録に関して、前記コンピュータ手段が、前記患者の記録に記録されたそれまでの処置の情報に基づいて、前記選択可能な処置のいずれかに関して前記処置プロトコルにリストされたステップまたはアクションを修正するように構成されていることを特徴とする、請求項２４に記載の情報制御システム。
【請求項２６】
個々の患者の記録に関して、前記コンピュータ手段が、前記患者台の位置調整のデータなどの、前記患者に関連する情報を格納するように構成されていることを特徴とする、請求項２４または２５に記載の情報制御システム。
【発明の詳細な説明】
【技術分野】
【０００１】
本発明は、歯科環境（dental environment）で使用される情報制御システムに関し、前記環境は、個別選択が可能ないくつかの歯科用器具と選択された歯科用器具の動作を制御する少なくとも１つの器具制御部材とを含む歯科用ユニットと、患者台と、前記歯科用ユニットと前記患者台とに対して機能する関係にある、歯科医と歯科助手（dental nurse）との作業位置とを含む。
【背景技術】
【０００２】
歯科用ユニットの歯科用器具の動作と、歯科用器具の動作に関連しない各種補助機能の動作とをコンピュータで制御すること自体は、先行技術においてよく知られている。先行技術における代表的な例が欧州特許第０  ３９１  ９６７号明細書に開示されており、それは、器具の操作ならびに一連の補助機能の管理および制御を行うマイクロプロセッサを含み、それによって、器具および補助機能を、ディスプレイとそれに関連付けられた選択手段とを用いて選択できる歯科用ユニットである。
【発明の開示】
【発明が解決しようとする課題】
【０００３】
本発明の目的は、歯科環境において情報制御技術の利用を一層進めることであり、そのために、処置の準備または調整中、および処置の実施中に情報を提供するいくつかのステップまたはアクションを含む、一連の選択可能な歯科処置を歯科医および／または歯科助手が行えるようにすることによって、歯科治療における質の管理および制御を著しく向上させる情報制御システムを提供する。
【０００４】
本発明のさらなる目的は、歯科環境における記録保持の利便性を向上させることであり、そのために、本情報制御システムのロギング（logging）機能を用いて、患者の記録簿の処置記録に情報制御システムを組み込む。
【０００５】
本発明のさらなる目的は、歯科治療において何人かの歯科医が共用できるマルチユーザ歯科情報制御システムを提供することである。
【課題を解決するための手段】
【０００６】
本発明のこれらの目的ならびにこの後の説明によって明らかになる他の目的は情報制御システムによって達成され、この情報制御システムは、その汎用的側面においては、一連の選択可能な歯科処置をリストした処置プロトコルを少なくとも１つ格納するコンピュータ手段によって特徴づけられ、リストされた処置ごとに、その処置の準備および実施において一連の連続したステップまたはアクションが実行され、前記コンピュータ手段は、前記処置およびアクションを歯科医および／または歯科助手に対して表示するプロトコル表示手段に作用的に接続されているか、接続可能であり、プロトコル制御手段は、前記プロトコルにリストされた処置およびアクションを選択するコンピュータ手段に歯科医および／または歯科助手がコマンドを入力できるように設けられる。
【０００７】
これらを実現することにより、歯科要員が必要または要望に応じて、前記処置の連続したステップおよびアクションに関する情報を含む、個々の歯科処置の概要ならびに詳細の両方に、即座に便利に効率的にアクセスすることを可能にする情報制御システムが提供される。
【０００８】
これによって、歯科治療の質と効率とが改善され、歯科医はその役割の一部から解放され、その一部は歯科助手に委ねられる。特に、歯科助手が必要とする情報のかなりの部分が本情報制御システムによって提供されるので、歯科助手は作業がやりやすくなり、前述のとおり、歯科医は楽になる。
【０００９】
情報表示手段は、前記コンピュータ手段から転送された、前記歯科用ユニットの歯科用器具の使用に関する情報を表示するために、前記歯科用ユニットにおける器具保持手段の場所に配置されることが好ましい。
【００１０】
これによって、個々の器具の使用に関連する適切な情報が、歯科医が取り上げる器具のすぐ横という適切な場所で効率的に表示される。
【００１１】
歯科環境で使用する本システムの好ましい実施態様では、歯科用ユニットが、選択された器具の動作パラメータを制御するマイクロプロセッサ手段を含み、プロトコルが、歯科用ユニットの少なくとも１つの歯科用器具の使用を必要とする少なくとも１つのステップまたはアクションを含む、少なくとも１つの処置を含み、少なくとも１つの動作パラメータの値が前記コンピュータ手段に格納され、それによって、前記コンピュータ手段が、歯科用ユニットの前記マイクロプロセッサ手段に作用的に接続されるか接続可能であってもよく、これは、前記歯科用器具が選択されたときに、前記パラメータ値が前記マイクロプロセッサ手段に伝えられ、前記動作パラメータが前記格納された値に調整されるようにするためである。
【００１２】
これによって、選択された器具の動作パラメータがシステムによって正しく選択され、歯科医がこの作業から解放される。
【００１３】
前記動作パラメータの値は、前記コンピュータ手段によりプログラム可能であることが好ましい。
【００１４】
この機能は、歯科医が、自分自身の技能または経験にしたがって、個々の処置またはひとまとまりの処置に関する任意の特定パラメータを選択することを可能にする。
【００１５】
パラメータ表示手段は、前記パラメータが前記マイクロプロセッサ手段に伝達された際に前記パラメータを表示するために、前記歯科用ユニットにおける器具保持手段の場所に配置されることが好ましい。
【００１６】
これによって、選択されたパラメータの確認が可能になる。
【００１７】
好ましい実施形態では、前記情報表示手段と前記パラメータ表示手段とが、同一ディスプレイによって構成され、これによって、システムがシンプルになり、全体像と効率とが改善される。
【００１８】
前記プロトコル制御手段は、前記器具制御部材との関連で配置されるキーボード、ポイントアンドクリックデバイス、音声認識装置および／または独立したプロトコル制御部材を任意に含むことが好ましい。
【００１９】
代替の好ましい実施形態では、前記器具制御部材と前記独立したプロトコル制御部材とが単一の足踏み式制御装置に統合される。
【００２０】
前記足踏み式制御装置の個々の制御部材の機能は、コンピュータ手段によりプログラム可能であることが好ましい。
【００２１】
これらの機能は、より詳細なコマンドを情報制御システムに入力することを可能にして、歯科医が情報制御システムをより詳細に制御できるようにする。
【００２２】
患者の情報に関しては、前記プロトコル表示手段は、患者が前記患者台に乗っている間は患者の視野内にあるように配置される患者用ディスプレイを含んでもよいことが好ましい。
【００２３】
これに関連して、前記患者用ディスプレイには、現在実施されている処置、ステップ、またはアクションに関連した実時間データが表示されることが一般に好ましい。
【００２４】
これらの機能は、患者を安心させることに寄与し、一般には処置によって当然ながら妨げられる、患者と歯科医との会話をかなりのレベルまで代替し、それによって、歯科医を解放し、患者を占有する。さらに、多くの人々が歯科治療を受けることを怖れるが、そのような怖れの一因は、歯科処置に関する知識の欠如であるかもしれないと信じられている。
【００２５】
前記患者台には、クッションスイッチなど、台に患者が乗っていることを検知する手段が備えられていることが好ましい。
【００２６】
これによって、患者が存在するという情報をコンピュータ手段にとって利用可能にすることができてもよく、それによって、コンピュータ手段は、処置が現在実施されていることを記録または確認してもよい。
【００２７】
特に、コンピュータ手段は、ロギング情報（特に、任意の選択された処置と、前記処置の過程で実施される任意の前記連続したアクションとに関するロギング情報）を格納するロギング手段を含むことが好ましい。
【００２８】
前記ロギング手段は、以下をロギングするように構成（adopted）されることが好ましい。
患者台における患者の存在、患者の名前、および歯科医と可能な歯科助手（possible the dental nurse）の名前。
実施された処置（個々の処置を識別するバージョン番号や、処置の過程で行われた可能な逸脱などのデータを含む）。
実施された処置に関連する時間データ（処置、ステップ、またはアクションの開始時刻や、それらの継続時間など）。
使用された歯科用器具に関連する時間データ（各器具の使用を開始した時刻、それらの使用の継続時間、および各器具の使用時間の累計など）。
患者が患者台に乗った時刻と患者台から下りた時刻（前記存在検知手段によって記録される）。
水質、気温および／または湿度などの環境データ。
好ましくは、処置中に、前記コンピュータ手段に接続されたバーコードリーダに入力されたアイテムのバーコードからのバーコードデータ。
【００２９】
これらのロギング機能を備えることによって、患者の処置の、コンピュータによるロギングが可能になる。このログから、患者に関連するデータが患者の記録に転送されて保管され、好ましくは患者への請求のために、実施された処置、歯科用ユニットの器具データ、および使用された材料を文書化することに用いられてもよい。
【００３０】
歯科用器具に関連するデータ（作動時間など）は、個々の器具の累計作動時間の情報を収容する記録に転送されてもよく、使用された充填材料に関するデータ（有効期限など）は、患者の記録に転送されてもよい。使用された消耗品に関連するデータ（製品コードやロット番号など）は、バーコードリーダによって入力されてもよい。
【００３１】
さらに、手用器具および加圧滅菌可能な電動器具が加圧滅菌されているかどうかは、バーコードリーダによって記録されてもよく、各器具の加圧滅菌とその後の使用に関する記録が保持される。
【００３２】
患者に関連するデータ（個人別番号、名前、住所など）は、ＩＤカードなどからバーコードリーダを通して入力されてもよい。
【００３３】
これに関連して、コンピュータ手段は、ロギングされたデータの削除を防ぐ手段を有し、それによって、ロギングされたデータの整合性および信頼性を保証することが特に好ましい。
【００３４】
歯科用情報制御システムのさらなる展開で提供されるマルチユーザシステムでは、コンピュータ手段が、サーバコンピュータを含むマルチユーザネットワークの一部を形成し、そのコンピュータ手段はサーバコンピュータに接続され、いくつかの歯科用ユニットに関連付けられ、それによって、前記処置プロトコルが前記サーバコンピュータに格納され、それが前記コンピュータ手段のすべてとそれらに関連付けられた歯科用ユニットとによって共用される。
【００３５】
これによって、同じ歯科治療を分担する何人かの歯科医が、前記治療に共通するすべてのデータへのアクセス権を共有する。
【００３６】
そのようなマルチユーザシステムでは、サーバコンピュータは、前記共用プロトコルに加えて、ユーザが定義した処置プロトコルを格納するように構成されてもよいことが好ましい。
【００３７】
これによって、歯科環境のネットワークに接続されたどのワークステーションでも、どの歯科医が保有している個人別データでも利用可能になる。
【００３８】
特に好ましいさらなる展開では、歯科用ユニットおよび／または前記サーバコンピュータに関連付けられたコンピュータ手段が、歯科診療所の患者の患者記録簿を格納するように構成されてもよく、前記記録簿は、各患者に対して実施された処置およびアクションの記録を収容し、前記コンピュータ手段はさらに、前記患者の記録簿においてその患者に関して記録されたそれまでの処置の情報に基づいて、前記選択可能な処置のいずれかに関して前記処置プロトコルにリストされたアクションを修正するように構成される。
【００３９】
これによって、特定の患者に対して実施される１つ１つの処置のすべてが、その患者に固有の事情に合わせて構成されてもよい（例えば、超音波歯石除去装置の振幅を、過度に敏感な患者に構成させてもよい）。
【００４０】
個々の患者の記録に関しては、前記コンピュータ手段は、患者台の位置調整のデータなどの、患者に関連する情報を格納するように構成されることが好ましい。
【００４１】
これによって、患者の快適さが向上し、患者は、歓迎されていて、歯科処置が自分の固有のニーズに構成されているという安心感を抱くことができる。
【００４２】
以下では、添付の簡略化された概略図面を参照しながら本発明を詳細に説明する。
【発明を実施するための最良の形態】
【００４３】
図１に示された歯科環境は、一般に１で示される歯科用ユニットを含む。慣例として、歯科ユニット１は、器具保持手段３に並べられたいくつかの歯科用器具２（各種のモータ式またはエアタービン式のドリル器具など）と、器具保持手段３から離れることによって選択された器具５８を操作するための従来型の足踏み式スイッチおよび制御装置４とを含む。
【００４４】
歯科用ユニット１は、選択された歯科用器具５８の動作機能ならびに器具の動作に関連しない保持機能を監視および制御するマイクロプロセッサを含むことが好ましくは可能であり、さらにその設備能力において、そのような動作機能および補助機能の設定またはパラメータを表示するディスプレイ５を含んでもよく、これ自体は欧州特許第０  ３９１  ９６７号明細書で知られているが、これは、本発明の目的のためには省略可能な特徴であり、したがって、歯科用ユニットは、最先端の構成であればどのようなものでもよい。
【００４５】
歯科用器具２を乗せた器具保持手段３は、テーブル状支持物の上に配置されることが可能であり、そのために、患者台４３は、乗っている患者が全体的に器具保持手段３の下方に都合よく位置し、患者台４３の頭部支持部が器具保持手段３のテーブル状支持物のやや外側に位置してもよいように概略的に示される。
【００４６】
患者台４３の頭部支持部の両側に、歯科医および歯科助手のそれぞれの作業位置５５および５６が配置され、これらの位置では、歯科医ならびに歯科助手が歯科用器具ならびに他の歯科用機器および消耗品を容易に手に取ることができる。通常、それらは、器具保持手段３または歯科助手および／または歯科医の作業位置から手の届く範囲に配置されている手用器具４７用のキャビネット５７その他と関連して位置する。
【００４７】
これまで説明してきた、図示された歯科環境は、前述の欧州特許第０  ３９１  ９６７号明細書に開示されているように動作してもよく、この開示は、参照により本明細書に組み込まれている。
【００４８】
本発明によれば、本歯科環境はさらに、歯科助手が使用するコンピュータ手段を含み、このコンピュータ手段は、例えば、マイクロプロセッサ１１を有する処理ステーション１０と、キーボード１２と、ポイントアンドクリック装置（マウスなど）１４と、ディスプレイ画面１６ａとを含む、従来型のコンピュータ構成（computer configuration）である。
【００４９】
後でさらに詳細に説明する高度な歯科用情報制御システムを提供することを考慮すると、このコンピュータ構成の図示された実装はさらに、作業位置５５の歯科医および作業位置５６の歯科助手の視野内に、歯科用ユニット１と一緒に位置する追加ディスプレイ画面１６ｂと、患者台４３に乗っている患者の視野内に（例えば歯科診療室の天井に固定されて）位置する情報ディスプレイ画面１６ｃとを含む。
【００５０】
図２に示すように、器具保持手段３に並べられた歯科用器具２は、慣例どおりに、ウォーターエアー冷却水およびすすぎ用噴霧を歯科作業領域に供給するシリンジ２ａと、モータ駆動のドリル器具２ｂおよび２ｃと、エアタービン駆動のドリル器具２ｄと、合成充填材料を硬化させるＬＣ（光硬化）ランプ２ｅと、超音波歯石除去器具２ｆとを含んでもよい。図示された実施形態では、器具保持手段３と一緒に配置されたディスプレイ画面５に、歯科用ユニット１に組み込まれたマイクロプロセッサから供給される、歯科用器具の動作パラメータ（ドリル器具の回転速度など）の現在の調整内容を表す値が、１行の英数文字で表示される。任意選択で、画面５には、器具ごとに、発光ダイオードなどの表示ランプの列が設けられてもよく、動作パラメータの特定の設定に関して、これらの表示ランプの１つが点灯して、当該パラメータの全調整範囲内での設定値の位置を示すことが可能である。
【００５１】
本発明によれば、歯科環境のための高度な情報制御システムが提供され、これによって、例えば図１で示されたコンピュータ構成（computer configuration）によって表されるコンピュータ手段は、一連の選択可能な歯科処置をリストした処置プロトコルと、このプロトコルにリストされた処置ごとに、処置の準備および実施において実行される一連の連続したステップまたはアクションとを格納する。
【００５２】
図３および４では、本発明の情報制御システムで用いられる、それぞれプロトコルおよび処置の例が、通常のＷｉｎｄｏｗｓ（登録商標）形式の画面イメージ表現で示されている。
【００５３】
ここで、図３のプロトコルについては、選択ウィンドウが、何らかの処置選択が行われる前の初期状態２６と、選択状態２７とで示されている。選択状態２７の選択ウィンドウは、初期状態の「ｓｅｌｅｃｔ  ｔｒｅａｔｍｅｎｔ（処置を選択）」表示の右側にあるプルダウン矢印ボタンをマウスクリックすると表示される。選択状態２７の図示された例では、一連の選択可能な８つの処置がリストされ、この中から特定の処置を、マウスクリック操作またはコンピュータキーボードの上下矢印キーおよびＥｎｔｅｒキーの操作で選択することが可能である。
【００５４】
特定の処置が選択されると、一連の選択可能な処置が処置選択ウィンドウから消え、その選択によって（例えば、マウスクリックまたはキーボードのＥｎｔｅｒキーの操作によって）アクティブになった、ウィンドウ内の「ｓｔａｒｔ（開始）」ボタンを操作すると、図４に示された処置ウィンドウ２８がコンピュータのディスプレイ画面に表示される。
【００５５】
図示された例では、処置ウィンドウは、３つに分かれたフィールド２９〜３１を含み、そのうちのフィールド２９は、選択された処置の準備および実施過程で実行される別々のステップまたはアクションのリストを含み、これに対して第２のフィールド３０は、マウスポインティングまたはコンピュータキーボードの上下矢印キーによって現在強調表示されている個々のステップまたはアクションの重要な詳細を表示するために用いられ、第３のフィールド３１は、フィールド２９にリストされている後続の連続アクションのいずれかの準備において行われることが必要な準備サブアクションを表示するために用いられてもよい事前セットアップフィールドでもよい。この特徴は特に、例えば、歯科助手が、選択された処置の後続のステップまたはアクションの準備をすることによって、歯科医より先行して作業を行うことを可能にしてもよい。
【００５６】
フィールド２９にリストされた第１のステップまたはアクションは、選択された処置を準備するセットアップを含んでもよく、これは、例えば、必要な充填材料および他の消耗品を見つけて準備することや、手用器具４７と図２に示された歯科用ユニットから給電され、歯科用ユニットによって制御される器具とを含む歯科用器具を見つけて準備することなどであり、そのような器具の準備は、例えば、選択された器具の先端部分の必要なコントラアングルならびに適切なドリルを選択することを含んでもよい。
【００５７】
処置のリストされた各ステップまたはアクションでは、動作パラメータ（例えば、ドリル器具の回転速度、ウォーターエアー噴霧冷却水の量および組成、トルクなど）のセットアップをしてもよく、後で明らかになるように、アクションによってセットアップされ、歯科用ユニット１に伝達されたパラメータ値が、歯科用ユニットの一部を形成するマイクロプロセッサによって以前に行われた調整より優先されてもよい。
【００５８】
フィールド２９にリストされた個々のステップまたはアクションの選択は、歯科医または歯科助手が、後で詳述されるコンピュータ構成に適切なコマンドを入力することによって実行されてもよい。通常、歯科医または歯科助手は、リストされたステップまたはアクションを最後まで順序どおりに進めるが、リストされた各ステップまたはアクションは、明らかに、個別に選択されてもよい。ＮＥＸＴ（次へ）ボタン３３とＢＡＣＫ（戻る）ボタン３２は、処置間の移動のために設けられている。
【００５９】
リストされたステップまたはアクションのシーケンスの前方にも後方にも移動可能であり、何らかの理由で処置が中断された場合は、その処置が次の任意の機会に再開可能であるように、プロトコルも中断されてもよい。この目的のためのボタンは、図４には示されていない。
【００６０】
本発明により、かつ、図５の例示的構成プランで示されるように、図１に示されたコンピュータ構成は、図１のディスプレイ画面１６ａ〜１６ｃを含むプロトコル表示手段と、プロトコル制御手段とに作用的に接続されているか接続可能であり、プロトコル制御手段は、歯科医または歯科助手が（例えば、図３および４に示されるように）処置プロトコルにリストされた処置およびアクションを選択するためにコンピュータにコマンドを入力することによって動作可能である。
【００６１】
図５の構成プランは、コンピュータ構成５９、コンピュータ構成５９と歯科用ユニット１との相互接続、および歯科用ユニット１と（器具２を保持する）器具保持手段３、ディスプレイ５、および足踏み式制御装置４との相互接続の構成を表している。
【００６２】
前述のように、コンピュータ構成５９は、パーソナルコンピュータの構成要素として本来よく知られている従来型のコンポーネント１１〜１４、１６ａ〜ｂおよび１８と、データ通信接続９（ケーブルなど）を介して歯科用ユニット１と通信するための任意追加インターフェイス１３と、音声認識ユニット１５と、バーコードリーダ１７とを含む。
【００６３】
コンポーネント構成５９にコマンドを入力するために音声認識ユニットを用いる場合は、マイク６２が、歯科医の作業位置５５またはその近くに取り付けられるか、例えば、歯科医の衣服に装着される。
【００６４】
本発明によって提供される歯科用ユニット１とコンピュータ構成５９との間の通信は、コンピュータ構成のインターフェイス１３と、歯科用ユニット１のインターフェイス７とを介して行われる。図示された例では、歯科用ユニット１は、マイクロプロセッサ６およびインターフェイス７に加えて、合成音声ジェネレータ８を含み、これは、情報を歯科医および歯科助手、ならびに患者に伝えるさらなる手段を提供するために含んでもよい。
【００６５】
歯科用ユニット１は、歯科用器具２を保持する器具保持手段３、足踏み式制御装置４、および器具パラメータを表示する器具保持手段用ディスプレイ５と通信している。
【００６６】
図６は、足踏み式制御装置４の実施形態を示す。この実施形態によれば、歯科用器具は、器具２が器具保持手段３から持ち上げられている間は、従来どおり、足踏み式制御装置４によって制御される。そのような通常の操作は、主制御部材３４を用いて便利に実施され、主制御部材３４は、足踏み式制御装置の側面に位置するスイッチ部材またはアームとして具現化されることが好ましい。
【００６７】
足踏み式制御装置の補助制御部材３７、３８および３９は、例えば、現在使用中の歯科用ユニット器具のパラメータを変更するために用いることができる。
【００６８】
このようにして、または、より一般的にはコンピュータ構成によってパラメータが変更されている場合、器具保持手段用ディスプレイ５は、図７に示されるように当該パラメータを表示してもよく、この図では、３番の位置にあるモータ４２の回転速度が４０において「３００」と表示されている。
【００６９】
器具保持手段から持ち上げられている器具がない場合、器具２の制御に関連付けられた制御部材は、例えば以下の説明のように、本発明の情報制御システムへのコマンドの入力に関連付けられた機能に転換される。以下は例である。
【００７０】
主制御部材３４を右側（図６）にアクティブ化すると、コンピュータディスプレイ上で、現在のセルの右にあるセルが選択され、前記制御部材を左側にアクティブ化すると、左にあるセルが選択される。主制御部材３４を下方に動かすと、選択されたセルがアクティブになる。
【００７１】
さらに、制御部材３７〜３９は、ポイントアンドクリック装置（「マウス」）の機能を与えられてもよく、ジョイスティック３９がコンピュータ画面上でカーソルの位置決めを行い、制御部材３７、３８がそれぞれ左右のマウスボタンとして機能する。
【００７２】
歯科助手が処置の後続のステップに用いられる器具を、図４の３１を参照して前述されたように準備する場合は、図７の４１に示されるように、器具保持手段用ディスプレイ５が、準備される器具を強調表示してもよい。
【００７３】
本明細書の導入部分で述べたように、本発明の情報制御システムは、強力なロギング機能を備えることが好ましい。
【００７４】
それらは、歯科医が患者に対して実施された処置を文書化および分析する可能性を大幅に向上させる。本発明のこの利点は、歯科医が患者の記録の正確さ、詳しさ、および信頼性を高いレベルで維持することを支援し、このことは、ほとんどの歯科医が個々の医療事故責任にさらされることから、非常に重要である。
【００７５】
しかしながら、記録保持は時間のかかる作業なので、この作業から歯科医を解放すること、あるいは、少なくともかなりの部分まで記録保持を支援することは、歯科医の作業環境の重要な改善にもなる。
【００７６】
本発明によれば、患者の処置に関連するすべてのデータがロギングされることが好ましい。本発明の情報制御システムの好ましい実施形態のロギング機能を図８に示す。コンピュータ構成１またはサーバ２０（後述）におけるログは、大まかに４４で表される。
【００７７】
患者が患者台に乗り、処置後に患者台から離れることのロギングは、患者台４３に、患者の体重を検知するクッションスイッチ５９（図示せず）のような、台の負荷を検知するセンサを設けることによって達成してもよい。
【００７８】
プロトコルから、処置ウィンドウ２８（図４）からのデータが、歯科用ユニット１からの器具パラメータデータとともにロギングされる。プロトコル（３５）から、選択および／または編集されたデータが、患者用情報システム４６に転送され、患者用ディスプレイ１６ｃ（図１）に表示される。
【００７９】
特定の患者に必要になることがある特定の器具設定があれば、その設定が、コンピュータ構成またはネットワーク（後述）上に保管されている患者記録４５から歯科用ユニット１に転送されてもよく、それに従って歯科用ユニット１で適切な器具パラメータが設定されることが可能である。そのような特別の設定に歯科医の注意を向けるための備えがなされることが好ましい。
【００８０】
用いられる個々の器具（器具保持手段３にある器具２と、手用器具４７の両方）が、バーコードリーダ１７によって登録され、それによってそれらの使用がシステムによってロギングされてもよい。材料、消耗品、または補助材料４８も同様に登録され、それによってそれらの使用がロギングされてもよい。
【００８１】
本来知られているように、ログは、ロギングされたデータの編集や削除を無効にするか防止する機能を設けられることが好ましく、これは、ロギングされたデータが改変されてログの信頼性が損なわれるのを防ぐためである。
【００８２】
本発明によれば、コンピュータディスプレイ１６ａ、１６ｂの１つまたは複数の画面イメージにメニューバー５４が表示される。このメニューバーを図９に示す。図９の実施例では、メニューバーは８個のボタンを有し、いずれの時点でも、そのうちの１つだけが選択されてもよい。
【００８３】
ボタンの選択は、マウス１４で１回クリックするか、キーボード１２を用いるか、音声認識ユニット１５を用いるか、足踏み式制御装置４を用いて行ってもよい。
【００８４】
ボタン４９  ＣＡＬＬ（コール）は、歯科助手を呼ぶために設けられている。
【００８５】
ボタン５０  ＤＡＴＡ（データ）がアクティブ化されると、歯科用ユニットの器具保持手段３の上にある器具の全リストのデータがディスプレイ１６ａ〜ｂの１つまたは複数に表示され、これによって、歯科助手と歯科医とが、任意の時点でそのパラメータが選択されているかを確認することが可能になる。
【００８６】
ボタン５１  ＨＥＬＰ（ヘルプ）をアクティブ化すると、ディスプレイ１６ａ〜ｂの１つまたは複数に状況依存ユーザマニュアルが表示される。歯科用ユニット１の実際の状況に応じて、関連する入力装置（特に足踏み式制御装置４）の機能が示される。
【００８７】
歯科医は、ボタン５２  ＵＳＥＲ（ユーザ）を用いて、歯科用ユニットの、自分専用のプログラムおよび設定、ならびに自分専用の処置プロトコル（３５）を選択してもよい。
【００８８】
患者記録システムにアクセスするには、ボタン６０  ＲＥＣＯＲＤ（記録）を用いる。
【００８９】
同様に、プロトコルおよび患者用情報システムにアクセスするには、ボタン２８  ＰＲＯＴＯＣＯＬ（プロトコル）および６１  ＰＡＴＩＥＮＴ  ＩＮＦＯ（患者用情報）を用いる。
【００９０】
アクティブなプロトコル２８がない場合の歯科用ユニット１の基本機能に相当する、歯科用ユニット１のマイクロプロセッサ６のプログラミングは、メニューバー５４のボタン５３  ＰＲＯＧＲＡＭＭＩＮＧ（プログラミング）をアクティブ化することによって行われてもよく、このボタンをアクティブ化すると、図１０に示されるようなプログラミングメニューが使用可能になり、このメニューはディスプレイ１６ａ〜ｂの１つまたは複数に表示される。
【００９１】
そのようなプログラミングウィンドウが示された図１０の実施例では、そのウィンドウが、本発明のコンピュータ構成のディスプレイ１６ａ〜ｂに表示される。図１０では、ウィンドウ上部に横に並んだタブにより、器具のパラメータのプログラミングが選択されており、ウィンドウの右側に縦に並んだタブにより、モータのパラメータのプログラミングが選択されている。
【００９２】
この選択されたウィンドウでは、ユーザは、３つの最大速度値と、３つの噴霧水量値と、１つの噴霧エアー値と、チップブローの有効化およびタイプとをプリセットまたはプログラミングすることが可能である。左下のボタンによってデフォルト値を選択してもよく、右下のボタンによって、選択されている値を保存してもよい。
【００９３】
図１１は、何人かの歯科医で構成される歯科治療のための、本発明のコンピュータ構成のいくつかの、共通ネットワークとの相互接続を表している。歯科用ユニットＮｏ．１（１）およびコンピュータ構成Ｎｏ．１（５９）は、１人の歯科医に関連付けられた機器、または歯科診療所内の１つの処置設備を表す。歯科用ユニットＮｏ．ｎ（２４）およびコンピュータ構成Ｎｏ．ｎ（２５）は、別の歯科医の家屋または診療所、あるいは当該歯科診療所の別の処置施設における同様の設備を表す。
【００９４】
それ自体は既知の方法での全体的なネットワーク管理および中央データストレージのために、中央サーバ２０が設けられてもよい。２つのコンピュータ構成５９と２５との間の接続、または各コンピュータ構成とサーバとの間の接続がそれぞれ１９で示されている。サーバ２０は、多かれ少なかれ特化されたコンピュータであって、マイクロプロセッサ２１と、場合に応じてキーボードおよびディスプレイ２２と、必要なネットワークインターフェイス２３とを含む。
【００９５】
図３および４との関連でＷｉｎｄｏｗｓ（登録商標）コンピュータの表示形式が参照されていても、本発明の情報制御システムは、明らかに、任意のオペレーティングシステムまたはコンピュータトポロジを用いて構成（implemented）されてもよい。
【図面の簡単な説明】
【００９６】
【図１】本発明による情報制御システムの実施形態を組み込んだ歯科環境の全体配置である。
【図２】図１に示した歯科環境の歯科用ユニットの一部を形成する統合情報ディスプレイを有する器具保持手段を表す図である。
【図３】本発明の情報制御システムで用いられる、プロトコルおよび処置の例の画面イメージを表す図である。
【図４】本発明の情報制御システムで用いられる、プロトコルおよび処置の例の画面イメージを表す図である。
【図５】図１に示した歯科環境の構成プランを示す図である。
【図６】歯科用ユニットおよび本情報制御システムの統合制御のための足踏み式制御装置の上面図である。
【図７】図２に示した、統合情報ディスプレイを有する器具保持手段の、修正された別の例を表す図である。
【図８】本情報制御システムの患者用情報機能およびロギング機能を表すフロー図である。
【図９】本情報制御システムのさらなる展開におけるメニュー選択に用いられるメニューバーの例を示す図である。
【図１０】歯科用ユニットのパラメータ調整機能の画面イメージを表す図である。
【図１１】本発明による情報制御システムのマルチユーザ展開の構成プランを示す図である。
【符号の説明】
【００９７】
１  歯科用ユニットＮｏ．１
２  電動器具
２ａ〜ｆ  電動器具
３  器具保持手段
４  足踏み式制御装置
５  器具保持手段用ディスプレイ
６  マイクロプロセッサ
７  歯科用ユニットインターフェイス
８  音声ジェネレータ
９  データ接続
１０  コンピュータ処理ステーション
１１  マイクロプロセッサ
１２  キーボード
１３  コンピュータインターフェイス
１４  コンピュータマウス
１５  音声認識ユニット
１６ａ〜ｂ  コンピュータディスプレイ
１６ｃ  患者用情報ディスプレイ
１７  バーコードリーダ
１８  ネットワークインターフェイス
１９  ネットワーク接続
２０  ネットワークサーバ
２１  マイクロプロセッサ
２２  サーバキーボードおよびディスプレイ
２３  サーバネットワークインターフェイス
２４  歯科用ユニットＮｏ．ｎ
２５  コンピュータ構成Ｎｏ．ｎ
２６  処置選択ウィンドウ
２７  処置選択ウィンドウ
２８  処置ウィンドウ
２９  ステップリストフィールド
３０  説明フィールド
３１  事前セットアップフィールド
３２  ＢＡＣＫ（戻る）ボタン
３３  ＮＥＸＴ（次へ）ボタン
３４  主制御部材
３５  プロトコル
３６  ＰＲＯＴＯＣＯＬ（プロトコル）ボタン
３７  制御部材
３８  制御部材
３９  足踏み式ジョイスティック
４０  パラメータの表示
４１  ＰＲＥＰＡＲＥ（準備）の表示
４２  プログラミングされている器具
４３  患者台
４４  ログ
４５  患者記録
４６  患者用情報システム
４７  手用器具
４８  材料
４９  ＣＡＬＬ（コール）メニューバーボタン
５０  ＤＡＴＡ（データ）メニューバーボタン
５１  ＨＥＬＰ（ヘルプ）メニューバーボタン
５２  ＵＳＥＲ（ユーザ）メニューバーボタン
５３  ＰＲＯＧＲＡＭＭＩＮＧ（プログラミング）メニューバーボタン
５４  メニューバー
５５  歯科医の作業位置
５６  歯科助手の作業位置
５７  手用器具キャビネット
５８  使用中の電動器具
５９  患者台のクッションスイッチ
６０  ＲＥＣＯＲＤ（記録）ボタン
６１  ＰＡＴＩＥＮＴ  ＩＮＦＯ（患者用情報）ボタン
６２  マイク
【図１】
2006513777.tif 000003
【図２】
2006513777.tif 000004
【図３】
2006513777.tif 000005
【図４】
2006513777.tif 000006
【図５】
2006513777.tif 000007
【図６】
2006513777.tif 000008
【図７】
2006513777.tif 000009
【図８】
2006513777.tif 000010
【図９】
2006513777.tif 000011
【図１０】
2006513777.tif 000012
【図１１】
2006513777.tif 000013
【国際調査報告】
2006513777.tif 000014
2006513777.tif 000015
2006513777.tif 000016